【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
シリーズエピソードをユーザに提示する方法であって、
ユーザからシリーズエピソードに対する関心表示を受信することと、
前記ユーザによって視聴される前記シリーズエピソードを収集することと、
初めて利用可能となった順序で、前記シリーズエピソードを編成することと、
初めて利用可能となった順序で、前記シリーズエピソードを提示することと
を含む、方法。
【請求項２】
シリーズエピソードをユーザに提示するシステムであって、
制御回路上に少なくとも部分的に実装された双方向メディアガイダンスアプリケーション
を含み、前記双方向メディアガイダンスアプリケーションは、
ユーザによって視聴されるシリーズエピソードを収集し、
初めて利用可能となった順序で、前記ユーザによって視聴され得るように、前記初めて利用可能となった順序で、前記シリーズエピソードを編成する
ように構成される、システム。
【請求項３】
前記制御回路は、
シリーズエピソードに対する関心表示をユーザから受信し、
初めて利用可能となった順序で、前記シリーズエピソードを提示する
ようにさらに構成される、請求項２に記載のシステム。
【請求項４】
シリーズエピソードをユーザに提示する方法であって、
ユーザからシリーズエピソードに対する関心表示を受信することと、
前記表示に応じて、前記ユーザによって視聴される前記シリーズエピソードを収集し、初めて利用可能となった順序で、前記シリーズエピソードを編成する要求を遠隔サーバに送信することと、
前記収集および編成されたエピソードを示すデータを前記遠隔サーバから受信することと、
初めて利用可能となった順序で、前記シリーズエピソードを提示することと、
を含む、方法。
【請求項５】
前記シリーズエピソードを提示することは、前記シリーズの全エピソードが、初めて利用可能となった順序で視聴するために利用可能となったときに、ユーザに通知することを含む、請求項１または４のいずれかに記載の方法。
【請求項６】
前記シリーズエピソードを提示することは、
前記シリーズの各エピソードが、初めて利用可能となった順序で視聴するために利用可能となったときに、ユーザに通知することと、
前記シリーズの一連のエピソードを提示することと
を含み、
前記一連のエピソードは、前記シリーズの開始エピソードを含む、請求項１または４のいずれかに記載の方法。
【請求項７】
前記シリーズエピソードを収集するための複数のオプションをユーザに提供すること
をさらに含み、前記複数のオプションは、
追加料金を必要とせず、前記シリーズエピソードを無料ソースから収集する、第１のオプションと、
追加料金を必要とし、複数の異なる有料メディアソースのうちの少なくとも１つから、前記シリーズのうちの少なくとも１つのエピソードを収集する、第２のオプションと
を少なくとも含む、請求項１または４のいずれかに記載の方法。
【請求項８】
前記複数の異なる有料メディアソースは、
有料放送プロバイダと、
有料ケーブルプロバイダと、
有料衛星プロバイダと、
有料ビデオ・オン・デマンド（ＶＯＤ）サーバと、
ペイ・パー・ビュープロバイダと、
ＤＶＤプロバイダと、
インターネットと、
前記ユーザのデジタルビデオレコーダと、
電話と
のうちの少なくとも２つを含む、請求項７に記載の方法。
【請求項９】
前記シリーズエピソードに対する関心表示を受信することは、あるシーズンのための前記シリーズエピソードに対する関心表示を自動的に受信することを含み、前記関心表示エピソードは、前記シーズン内に存在する、請求項１または４のいずれかに記載の方法。
【請求項１０】
前記シリーズエピソードの収集状態をユーザに通知することをさらに含む、請求項１または４のいずれかに記載の方法。
【請求項１１】
前記シリーズエピソードを収集することは、
収集される前記シリーズエピソードを識別することと、
すでにユーザに利用可能な前記シリーズエピソードを識別することと、
録画に利用可能になる前記シリーズエピソードを識別し、録画することと
を含む、請求項１または４のいずれかに記載の方法。
【請求項１２】
収集される前記シリーズエピソードを識別することは、欠落エピソードのリスト内に前記識別されたエピソードを含めることを含み、
すでにユーザに利用可能な前記シリーズエピソードを識別することは、前記欠落エピソードのリストからすでに利用可能な前記エピソードを削除することを含み、
録画に利用可能な前記シリーズエピソードを識別し、録画することは、前記欠落エピソードのリストから前記録画されたエピソードを削除することをさらに含む、
請求項１１に記載の方法。
【請求項１３】
前記ユーザによって視聴される前記シリーズエピソードを収集することは、初めて利用可能となった順序から外れて、前記ユーザが視聴するための前記シリーズエピソードを収集することを含む、請求項１または４のいずれかに記載の方法。
【請求項１４】
シリーズエピソードをユーザに提示するシステムであって、
制御回路上に少なくとも部分的に実装された双方向メディアガイダンスアプリケーション
を含み、前記双方向メディアガイダンスアプリケーションは、
あるシリーズエピソードに対する関心表示をユーザから受信し、
前記表示に応じて、前記ユーザによって視聴される前記シリーズエピソードを収集し、初めて利用可能となった順序で、前記シリーズエピソードを編成する要求を遠隔サーバに送信し、
前記収集および編成されたエピソードを示すデータを前記遠隔サーバから受信し、
初めて利用可能となった順序で、前記シリーズエピソードを提示する
ように構成される、システム。
【請求項１５】
前記シリーズエピソードを提示することは、前記シリーズの全エピソードが、初めて利用可能となった順序で視聴するために利用可能となったときに、ユーザに通知することを含む、請求項３または１４のいずれかに記載のシステム。
【請求項１６】
前記シリーズエピソードを提示することは、
前記シリーズの各エピソードが、初めて利用可能となった順序で視聴するために利用可能となったときに、ユーザに通知することと、
前記シリーズの一連のエピソードを提示することと
を含み、前記一連のエピソードは、前記シリーズの開始エピソードを含む、請求項３または１４のいずれかに記載のシステム。
【請求項１７】
前記制御回路は、前記シリーズエピソードを収集するための複数のオプションをユーザに提供するようにさらに構成されており、前記複数のオプションは、
追加料金を必要とせず、前記シリーズエピソードを無料ソースから収集する、第１のオプションと、
追加料金を必要とし、複数の異なる有料メディアソースのうちの少なくとも１つから、前記シリーズのうちの少なくとも１つのエピソードを収集する、第２のオプションと
を少なくとも含む、請求項３または１４のいずれかに記載のシステム。
【請求項１８】
前記複数の異なる有料メディアソースは、
有料放送プロバイダと、
有料ケーブルプロバイダと、
有料衛星プロバイダと、
有料ビデオ・オン・デマンド（ＶＯＤ）サーバと、
ペイ・パー・ビュープロバイダと、
ＤＶＤプロバイダと、
インターネットと、
前記ユーザのデジタルビデオレコーダと、
電話と
のうちの少なくとも２つを含む、請求項１７に記載のシステム。
【請求項１９】
前記シリーズエピソードに対する関心表示を受信することは、あるシーズンのための前記シリーズエピソードに対する関心表示を自動的に受信することを含み、前記関心のあるエピソードは、前記シーズン内に存在する、請求項３または１４のいずれかに記載のシステム。
【請求項２０】
前記制御回路は、前記シリーズエピソードの収集状態をユーザに通知するようさらに構成される、請求項２または１４のいずれかに記載のシステム。
【請求項２１】
前記シリーズエピソードを収集することは、
収集される前記シリーズエピソードを識別することと、
すでにユーザに利用可能な前記シリーズエピソードを識別することと、
録画に利用可能になる前記シリーズエピソードを識別し、録画することと
を含む、請求項２または１４のいずれかに記載のシステム。
【請求項２２】
収集される前記シリーズエピソードを識別することは、欠落エピソードのリスト内に前記識別されたエピソードを含めることを含み、
すでにユーザに利用可能な前記シリーズエピソードを識別することは、前記欠落エピソードのリストからすでに利用可能な前記エピソードを削除することを含み、
録画に利用可能な前記シリーズエピソードを識別し、録画することは、前記欠落エピソードのリストから前記録画されたエピソードを削除することをさらに含む、請求項２１に記載のシステム。
【請求項２３】
前記ユーザによって視聴される前記シリーズエピソードを収集することは、初めて利用可能となった順序から外れて、前記ユーザが視聴するための前記シリーズエピソードを収集することを含む、請求項２または１４のいずれかに記載のシステム。
【請求項２４】
あるシリーズのメディアを収集することと、
前記シリーズのメディアを所定の順序で編成することと、
前記シリーズのメディアを前記所定の順序で表示することと
を含む、方法。
【請求項２５】
制御回路上に少なくとも部分的に実装された双方向メディアガイダンスアプリケーション
を含むシステムであって、前記双方向メディアガイダンスアプリケーションは、
あるシリーズのメディアを収集し、
前記シリーズのメディアを所定の順序で編成し、
前記シリーズのメディアを前記所定の順序で表示する、
ように構成される、システム。